(57)【要約】【課題】電子時計のムーブメントを構成する各々の部品の支持方法について、部品各々に対して適した部材で行う事を目的とする。【解決手段】本発明は電子時計のムーブメントの外形形状をなし且つムーブメント構成部品の中で静止部材であるステータ５やコイル６等を保持する基礎部材のプレート２と、動作部材である高速回転運動を行なうロータ４及びロータ４と噛合う輪列駆動部を保持する輪列基礎部材の輪列下受３とを備える事で、保持する部品に合わせた材料選定が細かく行う事が出来る事を提供する。【選択図】      図６
2004333325.tif 000002
【特許請求の範囲】
【請求項１】
静止している部材である静止部材と、動作する動作部材とを有する電子時計において、前記静止部材あるいは前記動作部材の位置固定は各々異なる材質の基礎部材により位置固定されている事を特徴とする電子時計のムーブメント構造。
【請求項２】
前記静止部材を位置固定する基礎部材は樹脂部材で、前記動作部材を位置固定する基礎部材は金属部材からなる事を特徴とする請求項１記載の電子時計のムーブメント構造。
【請求項３】
電気信号を回転運動に変換するコイル、ステータ及びロータから成る変換部と、該変換部を伝達する中間車と、該中間車と噛合い、且つ指針を設ける指針車を有する輪列駆動部と、ムーブメントの外形形状をなし且つ構成部品を保持する樹脂部材で成形された基礎部材から成る電子時計において、前記輪列駆動部は、前記基礎部材とは異なる輪列基礎部材により位置固定され、前記変換部のコイル、ステータの位置固定を前記基礎部で行い、前記変換部のロータは前記輪列駆動部と共に輪列基礎部材により位置固定されている事を特徴とする電子時計のムーブメント構造。
【請求項４】
電気信号を回転運動に変換するコイル、ステータ及びロータから成る変換部と、該変換部を伝達する中間車と、該中間車と噛合い、且つ指針を設ける指針車を有する輪列駆動部から成る電子時計において、前記輪列駆動部と前記変換部のロータは同一部材の輪列基礎部材で位置固定され、且つ該輪列基礎部材は、ロータとロータと噛合う中間車の間に来るステータの部分に穴部を設けた事を特徴とする電子時計のムーブメント構造。
【請求項５】
電気信号を回転運動に変換するコイル、ステータ及びロータから成る変換部と、該変換部を伝達する中間車と、該中間車と噛合い、且つ指針を設ける指針車を有する輪列駆動部と、ムーブメントの外形形状をなし且つ構成部品を保持する樹脂部材で成形された基礎部材から成る電子時計において、前記変換部のロータ及び前記輪列駆動部は、前記基礎部材とは異なる輪列基礎部材により位置固定され、且つ該輪列基礎部材は前記基礎部材との位置固定を行う穴部を１箇所以上設けた事を特徴とする電子時計のムーブメント構造。
【請求項６】
前記輪列基礎部材は金属部材から成る事を特徴とする請求項３、４または５記載の電子時計のムーブメント構造。
【発明の詳細な説明】
【０００１】
【発明の属する技術分野】
本発明は、電子時計の変換部及び輪列駆動部の支持方法に関し、支持方法の基礎部材の構造に関する。
【０００２】
【従来の技術】
従来、電子時計の変換部であるコイル、ステータ、ロータは、同一部材で位置固定を行なっている。しかし変換部には、静止部材であるコイル、ステータと動作部材である高速回転を行なうロータとで構成されている為、本来、静止部材と動作部材である高速回転のロータとは適材の材質で位置固定する事が望ましい。よって、静止部材とロータを同一部材で位置固定を行うが該ロータの軸受けのみ貴石等を用いて異なる部材で行う場合が多々ある。（例えば、特許参考文献１参照。）。
【０００３】
また、ロータばかりではなく回転を行う中間車及び指針車等の輪列駆動部の位置決め固定を行う部材は、電子時計のムーブメントを構成する他の静止部材と同一である事が多い。前記輪列駆動部も本来ロータ同様、静止部材とは異なる材質で位置固定される事が望ましい。
【０００４】
上述から電子時計のムーブメントの外形形状をなし且つ構成部品を保持する基礎部材の材質は、静止部材の位置固定であれば考慮しないが、高速回転を行なうロータ及び輪列駆動部の位置固定を行なう為の耐摩耗性や潤滑油との相性等を考慮した材質を用いている。
【０００５】
または、ロータ及び輪列駆動部のみ位置固定する軸受けに基礎部材の材質とは異なる貴石や金属を基礎部材に埋め込む事で対応している。
【０００６】
【特許文献１】
特開平４−２５８７８６号公報  （図２）
【０００７】
【発明が解決しようとする課題】
ところが、基礎部材に支持される多くの静止部材は、耐摩耗性向上等の材質は不要であり位置固定が行われれば安価な材質でよい。しかし、基礎部材のほんの一部であるロータ及び輪列駆動部を支持する為に限られた材質を使用する事は、安価な材質を選択出来ない欠点を有していた。また、ロータ及び輪列駆動部のみ位置固定する軸受けに基礎部材の材質とは異なる貴石や金属を基礎部材に埋め込む事も基礎部材に安価な材質を用いても作業工程からして決して安くはならない。
【０００８】
本発明の目的は、上述のような欠点を解消しムーブメントの基礎部材を静止部材と動作部材である高速回転のロータ及び輪列駆動部とは適材の材質で位置固定する事を提供することである。詳しくは、静止部材を位置固定する基礎部材と動作部材である高速回転のロータ及び輪列駆動部とを位置固定する輪列基礎部材から成る電子時計のムーブメント構造を提供する。
【０００９】
【課題を解決するための手段】
静止している部材である静止部材と、動作する動作部材とを有する電子時計において、前記静止部材あるいは前記動作部材の位置固定は各々異なる材質の基礎部材により位置固定されている事を特徴としている。
【００１０】
さらに、前記静止部材を位置固定する基礎部材は樹脂部材で、前記動作部材を位置固定する基礎部材は金属部材からなる事を特徴としている。
【００１１】
詳しくは、電気信号を回転運動に変換するコイル、ステータ及びロータから成る変換部と、該変換部を伝達する中間車と、該中間車と噛合い、且つ指針を設ける指針車を有する輪列駆動部と、ムーブメントの外形形状をなし且つ構成部品を保持する樹脂部材で成形された基礎部材から成る電子時計において、前記輪列駆動部は、前記基礎部材とは異なる輪列基礎部材により位置決めされ、前記変換部のコイル、ステータの位置決めを前記基礎部で行い、前記変換部のロータは前記輪列駆動部と共に輪列基礎部材により位置決めされている事を特徴としている。
【００１２】
または、電気信号を回転運動に変換するコイル、ステータ及びロータから成る変換部と、該変換部を伝達する中間車と、該中間車と噛合い、且つ指針を設ける指針車を有する輪列駆動部から成る電子時計において、前記輪列駆動部と前記変換部のロータは同一部材の輪列基礎部材で位置決めされ、且つ輪列基礎部材は、ロータとロータと噛合う中間車の間に来るステータの部分に穴部を設けた事を特徴としている。
【００１３】
または、電気信号を回転運動に変換するコイル、ステータ及びロータから成る変換部と、該変換部を伝達する中間車と、該中間車と噛合い、且つ指針を設ける指針車を有する輪列駆動部と、ムーブメントの外形形状をなし且つ構成部品を保持する樹脂部材で成形された基礎部材から成る電子時計において、前記変換部のロータ及び前記輪列駆動部は、前記基礎部材とは異なる輪列基礎部材により位置固定され、且つ該輪列基礎部材は前記基礎部材との位置固定を行う穴部を１箇所以上設けた事を特徴としている。
【００１４】
さらに、前記輪列基礎部材は金属部材から成る事を特徴としている。
【００１５】
【発明の実施の形態】
以下、本発明の実施の形態を図面に基づいて詳述する。
図１は本発明の実施の形態を示す電子時計のムーブメントを裏蓋側からみた平面図、図２は本発明の実施の形態を示す電子時計のムーブメントの構成部品である輪列基礎部材の平面図、図３は本発明の実施の形態を示す電子時計のムーブメントの構成部品である輪列基礎部材にロータ及び輪列駆動部を配置した平面図、図４は本発明の実施の形態を示す電子時計のムーブメントの構成部品である基礎部材にコイル及びステータを配置した平面図、図５は本発明の実施の形態を示す電子時計のムーブメントの構成部品である基礎部材に輪列基礎部材、変換部、輪列駆動部を配置した平面図、図６は本発明の実施の形態を示す電子時計のムーブメント図１記載のＡ−Ａ部の断面図である。
【００１６】
図１において、１は電子時計のムーブメント、２はムーブメント１の外形形状及び構成部品を保持する基礎部材であるプレートである。
【００１７】
図２において、３は本発明の重要な部材である輪列基礎部材である輪列下受であり、ムーブメント１の構成部品のうち回転運動を行う後述するロータ４及び輪列駆動部の位置固定を行うロータ下穴３ａ、五番下穴３ｂ、中心穴３ｃ、三番下穴３ｄ、日の裏下穴３ｅを設けている。またロータ下穴３ａと五番下穴３ｂの高さは異なる為曲げ部３ｆを設けている。更にロータ下穴３ａと五番下穴３ｂの間に後述するステータ５が配置される所に穴３ｇを設けている。輪列下受３は、図４にて後述するムーブメント１の基礎部材となるプレート２にある突起２ｃ及び２ｄに挿入する事でプレート２と位置固定が出来る穴３ｈ及び３ｋを設けている。
【００１８】
図３において、４はロータ、７は五番車、８は四番車、９は三番車、１０は日の裏車であり輪列下受３はロータ４及び輪列駆動部のみを位置固定する事がわかる。なお、五番車７、三番車９、日の裏車１０は中間車である。また四番車８は指針車である。
【００１９】
図４において、５はステータ、６はコイルであり、共にプレート２に設けられたチューブ２ａ及び２ｂにより位置固定されている。プレート２には突起２ｃ及び２ｄが設けられ前記輪列下受３の穴３ｈ及び３ｋに入り込む。
【００２０】
図５及び図６を用いて本発明の電子時計のムーブメント構造の特徴である基礎部材部であるプレート２と輪列基礎部材である輪列下受３の関係について説明する。図５及び図６において、ムーブメント１の静止部材の殆どを支持するプレート２に対して回転運動を行なう輪列駆動部を支持する輪列下受３は必要な部分のみ配されている事が分かる。これで、ムーブメント１の静止部材を支持する基礎部材と回転運動を支持する輪列支持部材とは完全に独立され各々の適正に併せた材質を選ぶ事が出来る。
【００２１】
また、多くの電子時計のムーブメントで見られるロータ４と五番車７の軸受け部の高さが異なる事は、輪列支持部材である輪列下受３を金属部材においても曲げ部３ｆ（図３参照）を設ける事で安価な輪列支持部材を提供する事が出来る。更に、ロータ４と五番車７との間にはステータ５が配置される事が必須である事から、曲げ部３ｆでなく穴３ｇを設ける事でステータ５形状に影響されず輪列下受３にロータ下穴３ａを配置する事が出来る。
【００２２】
以上のように本発明によれば、電子時計のムーブメントの変換部において、静止部材であるコイル、ステータと高速回転を行うロータに各々適材の材質により位置固定を行う事が可能である。またロータばかりではなく輪列駆動部をも含め一体化した輪列基礎部材を導入する事でムーブメントの静止部材と回転駆動部材とで完全に切り離す事が出来、互いの性能を干渉せず安易に各々に適材した材質に特化できる事となる。
【００２３】
よって多くの静止部材を支持する基礎部材は、耐摩耗性向上等の材質特性が不要になり位置固定が可能なより安価な材質を選択できる。またロータ及び輪列駆動部を支持する輪列支持部材を一体化する事で、ロータや輪列駆動部各所に基礎部材の材質とは異なる貴石や金属を基礎部材に埋め込む事も不要であり安価な組込作業が可能となる。
【００２４】
【発明の効果】
本発明によれば、静止部材あるいは動作部材を位置固定する基礎部材を異なる材質とした事で、各々の基礎部材を完全に切り離す事が出来ることにより全体のコストダウンを図れる。
【図面の簡単な説明】
【図１】本発明の実施の形態を示す電子時計のムーブメントを裏蓋側からみた平面図である。
【図２】本発明の実施の形態を示す電子時計のムーブメントの構成部品である輪列基礎部材の平面図である。
【図３】本発明の実施の形態を示す電子時計のムーブメントの構成部品である輪列基礎部材にロータ及び輪列駆動部を配置した平面図である。
【図４】本発明の実施の形態を示す電子時計のムーブメントの構成部品である基礎部材にコイル及びステータを配置した平面図である。
【図５】本発明の実施の形態を示す電子時計のムーブメントの構成部品である基礎部材に輪列基礎部材、変換部、輪列駆動部を配置した平面図である。
【図６】本発明の実施の形態を示す電子時計のムーブメントである図１記載のＡ−Ａ部の断面図である。
【符号の説明】
１  ムーブメント
２  プレート
３  輪列下受
３ｆ  曲げ部
３ｇ  穴
４  ロータ
５  ステータ
６  コイル
７  五番車
８  四番車
９  三番車
１０  日の裏車
【図１】
2004333325.tif 000003
【図２】
2004333325.tif 000004
【図３】
2004333325.tif 000005
【図４】
2004333325.tif 000006
【図５】
2004333325.tif 000007
【図６】
2004333325.tif 000008